(57)【要約】【課題】金属製の屋根板（折板）を、梁材や下葺屋根などの下地材の上に摺動可能に取り付けるための屋根板支持具において、簡素な構成でありながらも、充分な強度が得られるようにすること。【解決手段】下地材２の上に固定する固定部材４を設け、該固定部材４の上部に断熱部材５を取り付けて、該断熱部材５に、屋根板３ａを係止する係止部材６を、上記固定部材４とは非接触に取り付ける屋根板支持具１であって、前記固定部材４を金属で形成するとともに、前記断熱部材５に、係止部材６が屋根板３ａの長さ方向に摺動可能な摺動溝１７を形成し、該摺動溝１７またはその近傍には、係止部材６が上方へ抜けるのを防止する抜け止め構造１７ｂ，２６を設けた屋根板支持具１。【選択図】　　図１
2004027482.tif 000002
【特許請求の範囲】
【請求項１】
下地材の上に固定する固定部材を設け、該固定部材の上部に断熱部材を取り付けて、該断熱部材に、屋根板を係止する係止部材を、上記固定部材とは非接触に取り付ける屋根板支持具であって、
前記固定部材を金属で形成するとともに、
前記断熱部材に、係止部材が屋根板の長さ方向に摺動可能な摺動溝を形成し、
該摺動溝またはその近傍には、係止部材が上方へ抜けるのを防止する抜け止め構造を設けた
屋根板支持具。
【請求項２】
前記抜け止め構造が、固定部材、断熱部材および係止部材を貫通する貫通杆と、係止部材に形成した摺動方向に長い長孔、および／または断熱部材と係止部材が抜け止め可能な方向で係合する係合部である
請求項１に記載の屋根板支持具。
【請求項３】
前記断熱部材の摺動溝を、垂直方向に延びる垂直部と、その一部から左右方向へ凹む抜け止め溝部とで形成し、
前記係止部材における上記抜け止め溝部との対応位置に、上記抜け止め溝部を摺動可能な抜け止め凸条を形成して、前記係合部を構成した
請求項１または請求項２に記載の屋根板支持具。
【請求項４】
前記断熱部材の摺動溝を、垂直方向に延びる垂直部と、その一部から左右方向へ凹む抜け止め溝部とで形成するとともに、
前記係止部材における上記抜け止め溝部との対応位置には、上記抜け止め溝部を摺動可能な抜け止め凸条を形成し、
上記断熱部材に、左右方向に貫通する貫通孔を形成するとともに、
前記係止部材の対応位置には、前記摺動方向に長い長孔を形成し、
該長孔の径を、前記貫通孔に挿通する貫通杆の径よりも大きく設定した
請求項１に記載の屋根板支持具。
【請求項５】
下地材の上に固定する固定部材を設け、該固定部材の上部に断熱部材を取り付けて、該断熱部材に、屋根板を係止する係止部材を、上記固定部材とは非接触に取り付ける屋根板支持具であって、
前記断熱部材に、係止部材が屋根の長さ方向に摺動可能な摺動溝を形成し、
上記係止部材の下部に、上記断熱部材に収まる金属板製の垂直な垂直片を形成するとともに、
該垂直片に、取り付け用の取り付け孔を形成し、
該取り付け孔の少なくとも下側に、金属板からなる補強部を形成した
係止部材。
【発明の詳細な説明】
【０００１】
【発明の属する技術分野】
この発明は、折板と称する金属製の屋根板を、梁材や下葺屋根などの下地材の上に取り付けるための屋根板支持具に関する。
【０００２】
【従来の技術】
屋根板支持具は、下地材と屋根板との間に介在して、屋根板を正圧にも負圧にも充分に耐え得るように固定するものである。
【０００３】
しかし屋根板は、金属板からなるので、温度によって伸縮する。つまり日差しの強さや気温の変化等によって、屋根板に歪がたまって、突然大きな音がする音鳴り現象が起こることがあった。
【０００４】
このため、屋根板の伸縮にともなって、屋根板支持具の一部が屋根の長さ方向に摺動して、屋根板にかかる歪を速やかに除去しようとしたものが様々提案されている。例えば特開平９−３２８８６９号があるが、この支持具は、サドルと称する合成樹脂の塊で、下葺屋根の馳締部を左右から挟んで下葺屋根上に固定するとともに、そのサドルの上部に、屋根板を係止する係止部材を屋根板の長さ方向（前後方向）に摺動可能に保持した構造である。
【０００５】
しかしこの構成は、簡素でよいが、合成樹脂製のサドルを直接下地材に固定するので、割れなどが発生することも考えられ、下地材に対する固定に、充分な強度を得にくい難点がある。
【０００６】
【発明が解決しようとする課題】
そこでこの発明は、簡素な構成でありながらも、充分な強度が得られるようにすることを主たる課題とする。
【０００７】
【課題を解決するための手段】
そのための手段は、下地材の上に固定する固定部材を設け、該固定部材の上部に断熱部材を取り付けて、該断熱部材に、屋根板を係止する係止部材を、上記固定部材とは非接触に取り付ける屋根板支持具であって、前記固定部材を金属で形成するとともに、前記断熱部材に、係止部材が屋根板の長さ方向に摺動可能な摺動溝を形成し、該摺動溝またはその近傍には、係止部材が上方へ抜けるのを防止する抜け止め構造を設けた屋根板支持具であることを特徴とする。
【０００８】
すなわち、下地材に対して固定部材を固定すると、固定部材の上部に一体化された断熱部材に対して、係止部材が屋根板の長さ方向に摺動可能な状態である。つまり、屋根板を係止した係止部材は、屋根板が熱により伸縮するときに、その伸縮に伴って摺動する。このため、屋根板に歪が溜まることを阻止できる。
【０００９】
しかも、下地材に対しての固定は、金属製の固定部材で行うので、合成樹脂の場合とは異なり、きつく締めても割れなどが発生しにくすることができる。
【００１０】
上記抜け止め構造には、摺動溝に保持した係止部材が上へ抜けるのを阻止する、例えば逆テーパ構造などで構成すればよいが、具体的には例えば、固定部材、断熱部材および係止部材を貫通する貫通杆と、係止部材に形成した摺動方向に長い長孔、および／または断熱部材と係止部材が抜け止め可能な方向で係合する係合部で、構成するとよい。
【００１１】
前者の抜け止め構造と後者の抜け止め構造を併用すると、二段階で抜け止めが行える。
また、前記係合部は、前記断熱部材の摺動溝を、垂直方向に延びる垂直部と、その一部から左右方向へ凹む抜け止め溝部とで形成し、前記係止部材における上記抜け止め溝部との対応位置に、上記抜け止め溝部を摺動可能な抜け止め凸条を形成して、構成するもよい。上記抜け止め溝部は、水平または斜めの線分状に形成することも、Ｌ字状、三角形状、半円形状等に形成することもできる。
【００１２】
好ましくは、前記断熱部材の摺動溝を、垂直方向に延びる垂直部と、その一部から左右方向へ凹む抜け止め溝部とで形成するとともに、前記係止部材における上記抜け止め溝部との対応位置には、上記抜け止め溝部を摺動可能な抜け止め凸条を形成し、上記断熱部材に、左右方向に貫通する貫通孔を形成するとともに、前記係止部材の対応位置には、前記摺動方向に長い長孔を形成し、該長孔の径を、前記貫通孔に挿通する貫通杆の径よりも大きく設定するとよい。
【００１３】
断熱部材と係止部材は、抜け止め溝部と抜け止め凸条との係合、および貫通杆と長孔との係合で、二段階に抜け止めされているので、強固な抜け止め状態を得ることができる。しかも、長孔の径を貫通杆の径よりも大きく設定しているので、負圧が作用して係止部材が上へ引っ張られて係止部材が伸びても、長孔が貫通杆に当たるまでには余裕がある。このため、長孔が強く貫通杆に当たることによって、発生することが考えられる凹みができることを阻止して、摺動動作が可能な状態を確保することができる。
【００１４】
別の手段は、下地材の上に固定する固定部材を設け、該固定部材の上部に断熱部材を取り付けて、該断熱部材に、屋根板を係止する係止部材を、上記固定部材とは非接触に取り付ける屋根板支持具であって、前記断熱部材に、係止部材が屋根の長さ方向に摺動可能な摺動溝を形成し、上記係止部材の下部に、上記断熱部材に収まる金属板製の垂直な垂直片を形成するとともに、該垂直片に、取り付け用の取り付け孔を形成し、該取り付け孔の少なくとも下側に、金属板からなる補強部を形成した係止部材であることを特徴とする。補強部の形成は、垂直片を構成するのと同一の金属板を折り返して形成すると、部品点数が増えない上に、一体性も高いので好ましい。
【００１５】
すなわち、係止部材の取り付け孔の少なくとも下側には、金属板からなる補強部を形成しているので、取り付け孔の縁が強くなる。このため、例えば負圧が作用して係止部材が引っ張られる作用を受けても、係止部材の垂直片が取り付け孔から伸びてしまったり切れてしまったりすることを阻止できる。取り付け孔の全周に補強部を形成すれば、正圧に対しての強度も得られる。
【００１６】
【発明の実施の形態】
この発明の一実施の形態を、以下図面を用いて説明する。
図１は、屋根板支持具１（以下、支持具という）の斜視図であり、この支持具１は、図２に示したように、下葺屋根２の上に上葺屋根３を形成するために用いるものである。形成した上葺屋根３は、日差しを直接受けるので温度変化を受けやすい。この温度変化により、屋根板３ａがその長さ方向に伸縮するが、その伸縮によって屋根板３ａに歪がたまらないように、支持具１の一部を屋根板３ａの長さ方向（前後方向）に摺動可能に構成している。
【００１７】
この支持具１は、下葺屋根２に対して固定する固定部材４と、該固定部材４の上部に一体的に取り付けられる断熱部材５と、該断熱部材５に対して前後方向に摺動可能に取り付けられ、屋根板３ａを係止する係止部材６とで構成する。
【００１８】
図３がその分解斜視図である。
上記固定部材４は金属板製で、同一形状をなす左右一対の固定部材担体７，７からなる。各固定部材担体７は、図２に示したように、下葺屋根２の頂面２ａに接する接地片８を下端に有し、該接地片８の内側縁から半円形の湾曲部９を上方へ延設して、該湾曲部９の上端から上へ垂直片１０を立ち上げ、該垂直片１０の上から断熱部材保持部１１を延設する。断熱部材保持部１１は、外方へ突出するＬ字形に形成した嵌合部１１ａの上端から外方へ向けて受け片１１ｂを水平に延設して構成している。
【００１９】
この固定部材担体７は、側面から見ると、接地片８と湾曲部９と垂直片１０の下部を幅広に形成し、それより上側から嵌合部１１ａの途中までの間を、徐々に幅背狭に成るように傾斜させて形成している。固定部材４では、垂直片１０に形成した角孔１０ａにボルト１２を通しナット１３で締めることで、下葺屋根２に対する固定を行うが、上述のように斜めに形成することで、締め付け力を強力に作用させることができる。
【００２０】
また、上記嵌合部１１ａには、断熱部材５を取り付けたときに上下左右に分離しないで一体的に組み合わせられるように、嵌合用の切欠部を形成している。すなわち、この嵌合用の切欠部は、嵌合部１１ａの垂直な面の中央に形成した丸孔１４と、該丸孔１４の両側の縁に形成した内側へ凹む嵌合凹部１５である。この嵌合凹部１５は、上端が水平な台形状に形成して、特に断熱部材５の上方への分離に対して強度を得ている。
【００２１】
断熱部材５は、合成樹脂からなるブロック状で、前記係止部材６と固定部材４とを熱伝導不可に非接触の状態とするためのものである。上面には、屋根板を受ける平らな受け面１６を形成するとともに、係止部材６が前後方向（屋根の長さ方向）に摺動可能な摺動溝１７を形成している。
【００２２】
上記摺動溝１７は、左右方向の中間位置に、上面から下部にかけて真っ直ぐに切り込んだ形の割溝状の垂直部１７ａと、該垂直部１７ａの下端から左右両側斜め上方へ切り込んだ抜け止め溝部１７ｂとで構成している。
【００２３】
また、断熱部材５の左右両側面には、上記固定部材担体７の嵌合部１１ａが左右方向から嵌合して、一体的に組み合う凹面１８を形成するとともに、該凹面１８に、上記嵌合用の切欠部、すなわち丸孔１４と嵌合凹部１５にそれぞれ嵌合する端円筒状の突出部１９と、爪状の嵌合凸部２０を形成している。上記突出部１９には、図４に示したように、摺動溝１７の垂直部１７ａを通して左右方向に貫通する貫通孔２１を形成している。
【００２４】
この貫通孔２１にはボルト２２を通しナット２３で止めるが、そのボルト２２は主として、係止部材６の摺動範囲を規制するためのものである。
【００２５】
係止部材６は、ステンレス等の金属板製で、屋根板３ａを係止する係止部２４を上端縁に有し、その下に垂直な垂直片２５を形成し、該垂直片２５の下端から上記断熱部材の一方の抜け止め溝部１７ｂ内を摺動する抜け止め凸条２６を斜め上方に向けて延設している。上記貫通孔２１に対応する高さ位置には、前後方向に長い長孔２７を形成して上記ボルト１２の挿通を可能にしているが、該長孔２７位置より上側から下の部分を、金属板を二重に重ねて補強部２８を形成している。重合状態を維持するには、例えばスポット溶接で固定しておけばよい。二重に重ねて形成することにより、強度を増すことができる。上記補強部２８の形成は、垂直片２５を構成するのと同一の金属板を折り返して形成しているので、部品点数が増えない上に、一体性が高いのでよい。
【００２６】
また、上記長孔２７の径は、ボルト２２の径よりも大きく設定して、係止部材６が上へ引っ張られて移動しても、長孔２７の縁がすぐにはボルト２２に圧接しないように構成している。
【００２７】
なお、図１に仮想線で示したように、係止部材６には、それが前後方向における中立的位置にあることを示すための位置決め用の目印２９を、膨出や刻印、塗布等適宜の手段で形成しておくと施工作業がしやすい。
【００２８】
このように構成した支持具１では、図５に示したように、係止部材６が前後方向に長孔２７とボルト２２で規制される範囲内を、前後方向に摺動可能な状態である。
【００２９】
上葺屋根３の形成に際しては、まず、固定部材４のボルト１２を緩めて固定部材担体７間の間隔を広げて、下葺屋根２の馳締部２ｂを挟持して、この状態でボルト２２を締め付ける。そして、摺動可能な係止部材６の位置を、前方へでも後方へでも摺動可能な中立的位置に設定しておく。この状態でグラスウール等の断熱材（図示せず）を敷き込んでから、係止部材６を利用して屋根板３ａを順に固定してゆく。
【００３０】
このようにして屋根を構成すると、上葺屋根３を構成する屋根板３ａが熱により伸縮すると、その伸縮にしたがって係止部材６が摺動するので、屋根板３ａには歪が溜まることはなく、従来の音鳴りを防止することができる。
【００３１】
しかも、下葺屋根２に対する固定は、金属板製の固定部材４で行うので、合成樹脂の場合とは異なりきつく締めても、また上下方向に荷重が掛っても割れなどが発生しにくすることができ、強固な固定状態を得ることができる。
【００３２】
また、負圧が掛ると上方へ引っ張られる係止部材６は、抜け止め溝部１７ｂと抜け止め凸条２６とによる第一段階の抜け止めと、長孔２７とボルト２２とによる第二段階の抜け止めとを有するので、強い負圧が作用して係止部材６が引っ張られても、容易には損傷しない強さを得られる。上述のように係止部材６を二重に重ねて補強部２８を形成したことによっても、その効果が高まる。
【００３３】
しかも上記長孔２７の径とボルト２２の径との寸法設定により、負圧作用時に係止部材６が上へ引っ張られて係止部材６が若干上昇しても、長孔２７がボルト２２に当たるまでには余裕がある。このため、長孔２７が強くボルト２２に当たることによって発生することが考えられる長孔２７の変形（凹みができること）を阻止して、摺動動作が可能な状態を確保することができ、確かな性能と耐久性を得ることができる。
【００３４】
さらに、上記ボルト２２は、固定部材４、断熱部材５および係止部材６を貫くので、万が一の火災により合成樹脂製の断熱部材が焼失したとしても、屋根板３ａを止めている係止部材６が断熱部材５から容易に外れることはなく、不測に屋根が飛ぶような不都合をなくすことができる。
【００３５】
以下、その他の例を説明する。なお、上記例と同一の構成部位については、同一の符号を付して詳しい説明を省略する。
図６に示した支持具１は、係止部材６の摺動範囲の規制を、ボルト２２と長孔２７ではなく、係止部材６に形成した突起３０によって行う例を示したものである。
【００３６】
すなわち、係止部材６の両側部には、それぞれ異なる方向に突出する規制突部３０を打ち出しにより形成して、摺動し切ったときに、規制突部３０が断熱部材５の摺動溝１７の縁に当たって規制されるようにしている（図９参照）。この規制突部３０は、補強部２８に形成しているので、二重に重なる一方の部分に切欠部３１を形成して、一枚の金属板に対して打ち出しを行っている。
【００３７】
なお、係止部材６は下端に抜け止め凸条２６を有しているので、摺動溝１７に対して上からは取り付けられないため、図７に示したように、一方の規制突部３０のみを形成した状態で前後方向から差し込んで取り付けた後、他方の規制突部３０を形成して抜け止めと摺動範囲の規制を行う。
【００３８】
このように規制突部３０を膨出するほか、例えば係止部材６の前後方向の端部に、前後方向に突出する片を形成し、これをＬ字形に折曲して規制片を形成するもよいが、上述のように形成するほうが、歩留まりがよい利点がある。
【００３９】
また、ボルトを挿通する必要がないため、断熱部材５の突出部１９には孔を形成する必要がない。図８の断面図で示した空間３２はぬすみである。
【００４０】
図１０、図１１に、係止部材６の他の例を示す。
これらの係止部材６は、折り返して形成した補強部２８の上端縁に、重合の相手方に形成した切欠部３３から被さるように下へ折り返す折り返し片３４を形成して一体性を得ている。切欠部３３は両側縁部に形成し、図１０の係止部材６では、切欠部３３を縁から形成し、図１１の係止部材６では、縁を残して切欠部３３を形成している。なお、仮想線で示したように折り返し片３４部分に、スポット溶接を行えば、補強部２８の強度をより高めることができる。
【００４１】
図１２から図１５は、断熱部材５の摺動溝１７および係止部材６の抜け止め凸条２６の形状についての他の例を示す支持具１である。すなわち、図１２の支持具１では、断熱部材５の摺動溝１７の抜け止め溝部１７ｂを、垂直溝部１７ａから水平に延びる水平部３５と、この水平部３５から垂直に立ち上がる立ち上がり部３６とで構成し、係止部材６の抜け止め凸条２６を、上記抜け止め溝部１７ｂ内を摺動可能な形に形成している。
【００４２】
図１３の支持具１は、断熱部材５の摺動溝１７の抜け止め溝部１７ｂを逆三角形に形成し、係止部材６の抜け止め凸条２６を、その中を摺動可能な形に形成している。
【００４３】
図１４の支持具１は、断熱部材５の摺動溝１７の抜け止め溝部１７ｂを水平に形成し、係止部材６の抜け止め凸条２６を、抜け止め溝部１７ｂ内を摺動可能な形に形成している。
【００４４】
図１５の支持具１は、断熱部材６の摺動溝１７を、割溝状の垂直部１７ａのみで形成し、係止部材６の係止部２４から下を、垂直部２５のみでＩ字状に形成している。この場合には、抜け止めと摺動範囲規制のためにボルト２２を用いる。すなわち、係止部材６には、長孔２７を形成し、この長孔２７にボルト２２を貫通する（図１６参照）。この支持具１では、断熱部材５に抜け止め溝部１７ｂが、係止部材６には抜け止め凸条２６が不要であるため、左右方向の厚みを薄く形成できるが、その他の部位については、前述の構成と同様である。ただし、長孔２７の径は、ボルト２２の径に対応させている。
【００４５】
係止部材６は金属板を二重に重ねて、長孔２７の全周に補強部２８を形成している。重合状態の保持は、スポット溶接で行うとよい。
【００４６】
係止部材６はこの他、図１７に示したように、補強部２８を、長孔２７の下側のみに形成するもよい。すなわち、係止部材６の下端縁をその先端縁が長孔２７の下縁に一致するように折り返して形成している。
【００４７】
また、図１８に示したように、三重に重ねた補強部２８を形成するも、図１９、図２０に示したように四重に重ねた補強部２８を形成するもよい。
【００４８】
図２１に示した支持具１は、固定部材４の他の例を示している。この固定部材４は、馳の形が角形であるものに適した形状に形成している。すなわち、同一形状でない左右一対の第１固定部材担体３７および第２固定部材担体３８と、これらの間に挟まれる第３固定部材担体３９とで構成している。第１固定部材担体３７は、断熱部材５と嵌合する嵌合部１１の下側をコ字形に形成し、下端を接地片８に設定している。
【００４９】
第２固定部材担体３８は、第１固定部材担体３７の垂直片１０の下部に相当する位置に、外方に逆Ｌ字形に膨出するぬすみ部４０を形成した形である。このぬすみ部４０が下葺屋根の馳締部を包囲する。第３固定部材担体３９は、第１固定部材担体３７と第２固定部材担体３８の垂直片１０間に挟まる被挟持片４１と、この被挟持片４１の下端から横に延設した、角形の馳締部に横から被さる係止部４２とで構成する。
【００５０】
以上はこの発明の一実施の形態であり、下葺屋根２は、この発明の下地材に対応し、
ボルト２２は、貫通杆に対応し、
長孔２７は、取り付け孔に対応するも、この発明は上述の構成のみの限定されるものではない。
【００５１】
【発明の効果】
以上のように、この発明によれば、屋根板を係止した係止部材は、屋根板が熱により伸縮するときに、その伸縮に伴って断熱部材上を摺動する。このため、屋根板に歪が溜まることを阻止でき、音鳴り防止をすることができる。しかもそのための構成は、固定部材と断熱部材と係止部材との三種類からなるので、簡素であり、組み立ての手間も、部品の管理も簡単である。また、簡素な構造ゆえに、コストを抑えることもできる。
【００５２】
そのうえ、下地材に対しての固定を行う固定部材は金属製であるので、合成樹脂の場合とは異なり、きつく締めても割れなどが発生しにくすることができる。このため、高い強度を得ることができる。
【００５３】
また、抜け止め構造に、固定部材、断熱部材および係止部材を貫通する貫通杆と、係止部材に形成した摺動方向に長い長孔、および断熱部材と係止部材が抜け止め可能な方向で係合する係合部で、構成すると、二段階で抜け止めが行え、強固な固定が行える。特に、負圧に対しての強度を高めることができる。
【００５４】
このとき、長孔の径を貫通杆の径よりも大きく設定すると、負圧が作用して係止部材が上へ引っ張られて係止部材が伸びても、長孔が貫通杆に当たるまでには余裕があるので、長孔が強く貫通杆に当たることによって、発生することが考えられる凹みができることを阻止して、摺動動作が可能な状態を確保することができる。すなわち、何度が強い負圧が作用しても、音鳴り防止機能に死しようはなく、耐久性を高めることができる。
【００５５】
さらに、係止部材の下部に形成した垂直片の取り付け孔に対して補強部を形成すると、取り付け孔の縁を強化できるので、負圧が作用して係止部材が引っ張られる作用を受けても、係止部材の垂直片が取り付け孔から伸びてしまったり切れてしまったりすることを阻止でき、高強度、高耐久性を実現できる。
【図面の簡単な説明】
【図１】屋根板支持具の斜視図。
【図２】屋根板支持具の使用状態の正面図。
【図３】屋根板支持具の分解斜視図。
【図４】屋根板支持具の縦断面図。
【図５】屋根板支持具の作用を示す側面図。
【図６】他の例に係る屋根板支持具の斜視図。
【図７】図６の分解斜視図。
【図８】図６の縦断面図。
【図９】図６作用を示す側面図。
【図１０】係止部材の他の例に係る斜視図。
【図１１】係止部材の他の例に係る斜視図。
【図１２】他の例に係る屋根板支持具の斜視図。
【図１３】他の例に係る屋根板支持具の斜視図。
【図１４】他の例に係る屋根板支持具の斜視図。
【図１５】他の例に係る屋根板支持具の斜視図。
【図１６】図１５の縦断面図。
【図１７】他の例に係る係止部材の斜視図。
【図１８】他の例に係る係止部材の斜視図。
【図１９】他の例に係る係止部材の斜視図。
【図２０】他の例に係る係止部材の斜視図。
【図２１】他の例に係る屋根板支持具の斜視図。
【符号の説明】
１…屋根板支持具
２…下葺屋根
３…上葺屋根
３ａ…屋根板
４…固定部材
５…断熱部材
６…係止部材
１７…摺動部材
１７ａ…垂直部
１７ｂ…抜け止め溝部
２１…貫通孔
２２…ボルト
２３…ナット
２５…垂直部
２６…抜け止め凸条
２７…長孔
２８補強部
【図１】
2004027482.tif 000003
【図２】
2004027482.tif 000004
【図３】
2004027482.tif 000005
【図４】
2004027482.tif 000006
【図５】
2004027482.tif 000007
【図６】
2004027482.tif 000008
【図７】
2004027482.tif 000009
【図８】
2004027482.tif 000010
【図９】
2004027482.tif 000011
【図１０】
2004027482.tif 000012
【図１１】
2004027482.tif 000013
【図１２】
2004027482.tif 000014
【図１３】
2004027482.tif 000015
【図１４】
2004027482.tif 000016
【図１５】
2004027482.tif 000017
【図１６】
2004027482.tif 000018
【図１７】
2004027482.tif 000019
【図１８】
2004027482.tif 000020
【図１９】
2004027482.tif 000021
【図２０】
2004027482.tif 000022
【図２１】
2004027482.tif 000023